(57)【要約】【課題】折りたたみが可能な小水排泄容器【解決手段】小水排泄部１０が１枚の防水性厚紙から切り抜かれ組み立てられ前部となり、前部側面１１、１２が２等辺三角形状にその内側方向に折り曲げられる構成。小水貯留部２０が上記の１枚の防水性厚紙から切り抜かれ組み立てられ胴部を構成。２等辺三角形状胴部折り曲げ線２１ｂ、２２ｂと胴部側面２１、２２は内側方向に折り畳み込むための折り曲げ線である。後部閉塞部４０が上記の小水貯留部１０上記の１枚の防水性厚紙から切り抜かれ組み立てられ後部となり、後部側面４１，４２が２等辺三角形状にその内側方向に折り曲げられる構成。排泄用開口３０が小水貯留部２０の上面２４の先端付近から小水排泄部１０の前面１３の上部１３ａ付近に渡って設ける。垂直状折り曲げ線２１ｄ、２２ｄと平面用水平状折り曲げ線２４ｅはその容器の後部あたりを外側方向に折るため【選択図】図２
2007159797.tif 000002
【特許請求の範囲】
【請求項１】
１枚の防水性厚紙から切り抜かれその糊代からなる接合個所を漏水防止状態に密着して組み立てられその厚紙製容器の前部を構成する部分となるものであって且つその左右両方の前部側面がそれぞれその先端を頂点とする２等辺三角形状にその内側方向に折り曲げられその最先端となるその糊代である中央部分が上下水平に接合された小水排泄部、該小水排泄部と一体となって上記の１枚の防水性厚紙から切り抜かれその糊代からなる接合個所を漏水防止状態に密着して組み立てられその厚紙製容器の胴部を構成する部分となる四角筒の小水貯留部、該小水貯留部と一体となって上記の１枚の防水性厚紙から切り抜かれその糊代からなる接合個所を漏水防止状態に密着して組み立てられその厚紙製容器の後部を構成する部分となるものであって且つその左右両方の後部側面がそれぞれその後端を頂点とする２等辺三角形状にその内側方向に折り曲げられその最後端となるその糊代である中央部分が上下水平に接合された後部閉塞部、上記の小水貯留部の上面の先端付近から上記の小水排泄部の前面上部付近に渡って設けられた排泄用開口、上記の小水貯留部の左右両方の胴部側面にそれぞれ設けられたものでありそれぞれその両側面の内側方向に折り畳み込むための折り曲げ線であって且つその左右両方の胴部側面のそれぞの胴部後端部の端部辺の個所を底辺とした２等辺三角形状胴部折り曲げ線、上記の小水貯留部の左右両方の胴部側面にそれぞれ設けられたものでありそれぞれその両側面の内側方向に折り畳み込むための折り曲げ線であって且つその左右両方の胴部側面のそれぞれの三角形状胴部折り曲げ線の頂点から上記の小水排泄部の先端を結ぶそれぞれの胴部側面用水平状折り曲げ線、上記のそれぞれの２等辺三角形状胴部折り曲げ線の頂点から垂直に上方端又は下方端にそれぞれに伸びているものであって外側方向に折るための垂直状折り曲げ線、上記の小水貯留部の上面又は下面にその後端面およびそれに結合している上記の後部閉塞部を折り畳み込むためのものであって上記のそれぞれの三角形状胴部折り曲げ線の頂点から伸びた垂直の折り曲げ線のそれぞれの先端から水平方向に伸び結合した平面用水平状折り曲げ線、より構成されることを特徴とした病床などにて使用される携帯可能な折り畳みタイプの厚紙製小水排泄用容器。
【請求項２】
１枚の防水性厚紙から切り抜かれその糊代からなる接合個所を漏水防止状態に密着して組み立てられその厚紙製容器の前部を構成する部分となるものであって且つその左右両方の前部側面がそれぞれその先端を頂点とする２等辺三角形状にその内側方向に折り曲げられその最先端となるその糊代である中央部分が上下水平に接合された小水排泄部の型紙、該小水排泄部の型紙と一体となって上記の１枚の防水性厚紙から切り抜かれその糊代からなる接合個所を漏水防止状態に密着して組み立てられその厚紙製容器の胴部を構成する部分となる四角筒の小水貯留部の型紙、該小水貯留部の型紙と一体となって上記の１枚の防水性厚紙から切り抜かれその糊代からなる接合個所を漏水防止状態に密着して組み立てられその厚紙製容器の後部を構成する部分となるものであって且つその左右両方の後部側面がそれぞれその後端を頂点とする２等辺三角形状にその内側方向に折り曲げられその最後端となるその糊代である中央部分が上下水平に接合された後部閉塞部の型紙、上記の小水貯留部の型紙の上面の先端付近から上記の小水排泄部の型紙の前面上部付近に渡って設けられた排泄用開口、上記の小水貯留部の型紙の左右両方の胴部側面にそれぞれ設けられたものでありそれぞれその両側面の内側方向に折り畳み込むための折り曲げ線であって且つその左右両方の胴部側面のそれぞの胴部後端部の端部辺の個所を底辺とした２等辺三角形状胴部折り曲げ線、上記の小水貯留部の型紙の左右両方の胴部側面にそれぞれ設けられたものでありそれぞれその両側面の内側方向に折り畳み込むための折り曲げ線であって且つその左右両方の胴部側面のそれぞれの三角形状胴部折り曲げ線の頂点から上記の小水排泄部の先端を結ぶそれぞれの胴部側面用水平状折り曲げ線、上記のそれぞれの２等辺三角形状胴部折り曲げ線の頂点から垂直に上方端又は下方端にそれぞれに伸びているものであって外側方向に折るための垂直状折り曲げ線、上記の小水貯留部の上面又は下面にその後端面およびそれに結合している上記の後部閉塞部を折り畳み込むためのものであって上記のそれぞれの三角形状胴部折り曲げ線の頂点から伸びた垂直の折り曲げ線のそれぞれの先端から水平方向に伸び結合した平面用水平状折り曲げ線、より構成されることを特徴とした病床などにて使用される携帯可能な折り畳みタイプの厚紙製小水排泄用容器の型紙。
【請求項３】
１枚の防水性厚紙から切り抜かれその糊代からなる接合個所を漏水防止状態に密着して組み立てられその厚紙製容器の前部を構成する部分となるものであって且つその左右両方の前部側面がそれぞれその先端を頂点とする２等辺三角形状にその内側方向に折り曲げられその最先端となるその糊代である中央部分が上下水平に接合された小水排泄部、該小水排泄部と一体となって上記の１枚の防水性厚紙から切り抜かれその糊代からなる接合個所を漏水防止状態に密着して組み立てられその厚紙製容器の胴部を構成する部分となる四角筒の小水貯留部、該小水貯留部と一体となって上記の１枚の防水性厚紙から切り抜かれその糊代からなる接合個所を漏水防止状態に密着して組み立てられその厚紙製容器の後部を構成する部分となるものであって且つその左右両方の後部側面がそれぞれその後端を頂点とする２等辺三角形状にその内側方向に折り曲げられその最後端となるその糊代である中央部分が上下水平に接合された後部閉塞部、上記の小水貯留部の上面の先端付近から上記の小水排泄部の前面上部付近に渡って設けられた排泄用開口、上記の小水貯留部の左右両方の胴部側面との後部閉塞部の左右両方の後部側面および上記の小水排泄部の左右両方の前部側面にそれぞれ設けられたものでありそれぞれその両側面の内側方向に折り畳み込むための折り曲げ線であって且つその左右両方の後部側面のそれぞれの折り曲げ線の後端から上記の小水排泄部の先端を結ぶそれぞれの側面用水平状折り曲げ線、より構成されることを特徴とした病床などにて使用される携帯可能な折り畳みタイプの厚紙製小水排泄用容器。
【請求項４】
１枚の防水性厚紙から切り抜かれその糊代からなる接合個所を漏水防止状態に密着して組み立てられその厚紙製容器の前部を構成する部分となるものであって且つその左右両方の前部側面がそれぞれその先端を頂点とする２等辺三角形状にその内側方向に折り曲げられその最先端となるその糊代である中央部分が上下水平に接合された小水排泄部の型紙、該小水排泄部の型紙と一体となって上記の１枚の防水性厚紙から切り抜かれその糊代からなる接合個所を漏水防止状態に密着して組み立てられその厚紙製容器の胴部を構成する部分となる四角筒の小水貯留部の型紙、該小水貯留部の型紙と一体となって上記の１枚の防水性厚紙から切り抜かれその糊代からなる接合個所を漏水防止状態に密着して組み立てられその厚紙製容器の後部を構成する部分となるものであって且つその左右両方の後部側面がそれぞれその後端を頂点とする２等辺三角形状にその内側方向に折り曲げられその最後端となるその糊代である中央部分が上下水平に接合された後部閉塞部の型紙、上記の小水貯留部の型紙の上面の先端付近から上記の小水排泄部の型紙の前面上部付近に渡って設けられた排泄用開口、上記の小水貯留部の左右両方の胴部側面との後部閉塞部の左右両方の後部側面および上記の小水排泄部の左右両方の前部側面にそれぞれ設けられたものでありそれぞれその両側面の内側方向に折り畳み込むための折り曲げ線であって且つその左右両方の後部側面のそれぞれの折り曲げ線の後端から上記の小水排泄部の先端を結ぶそれぞれの閉塞部側面用水平状折り曲げ線、より構成されることを特徴とした病床などにて使用される携帯可能な折り畳みタイプの厚紙製小水排泄用容器の型紙。
【発明の詳細な説明】
【技術分野】
【０００１】
本発明は、広くは医療用具に関するものであり、特に病床等において使用される排泄用の医療用具に関するものである。就中、紙製の使い捨てが可能な小水排泄用容器に関するもので、折り畳みが可能なものであある。
【背景技術】
【０００２】
従来、し瓶と呼ばれる小水排泄用容器は、そのほとんどが瓶製のものであった。これに対して、プラスチック製のものも登場した。また、パルプモールド製のものもある。ただし、携帯に便利な、折り畳み式のものはない。
【特許文献１】特開昭４８−４１６３５
【特許文献２】特開２００２−１０２１１１
【特許文献３】実開昭５４−１００４９９
【発明の開示】
【発明が解決しようとする課題】
【０００３】
しかして、本願発明が解決しようとする問題点は、従来のガラス製のものは使用するにしたがって尿酸などの汚れがそのガラスにこびりつき不潔になる。また、その容器は通常１度程度の病気に使用するものであるから、その病気が治ればその再度の使用ということはそれ程あるものではない。それ故に、その容器は、邪魔になって捨ててしまい不経済である。特に、その瓶のガラスを他の瓶容器に使用することはできないので、リサイクルすることは不可能である。そして、病院でのその容器の使用は、通常は他の患者が使用したものを使用するのであるから、これも不快感が生じてしまう。また、介護者も溲瓶を洗打て間があり、これを使い捨てにできるようにすればその手間がなくなる。その他、家庭において夜間小用に行くのがおっくうなときに使用できる。一方、プラスチック製のものは、その廃棄物の処理による環境問題が生じる。そして、パルプモールド製のものはその型代が大変に高くて、これも大きな問題となる。
【０００４】
そこで、この  小水排泄用容器を防水性の厚紙で作成したものを発明して、平成１７年１０月７日に特許出願をした（特願２００５−２９４６８３）。ただし、この発明は、組み立てられたものは立体形状のままであるゆえにかさばってしまう。しかして、この製品は紙製なので、丁度デパートなどの紙袋の様に小水排泄用容器紙に折り曲げ線を入れると、その容器は折りたたみができる様になる。それで、折り畳んだその容器の運搬や保管に便利であるばかりか、携帯ができるのでその用途は広がる。それゆえに、本願特許出願人は平成１７年１０月１４日に病床等にて使用される携帯可能な折り畳みタイプの厚紙製小水排泄用容器と厚紙製小水排泄用容器の型紙の特許出願をした（特願２００５−２９９７９６）。
【０００５】
一方、本発明は携帯用の小水排泄容器として、高速道路でのドライブ中の渋滞時にも凝固剤共に使用可能な容器に使用可能なものも必要である。さらには、高層建築の現場では、トイレに行くのに足場の悪い建設途中の建築物を上下しなければならないので大変に不便である。それで、し瓶を持ち込まれているが、これは瓶製なので建設現場では非常に壊れやすい。
【課題を解決するための手段】
【０００６】
本発明にかかる病床などにて使用される携帯可能な折り畳みタイプの厚紙製小水排泄用容器と厚紙製小水排泄用容器の型紙は、以上の課題を解決するために、その小水排泄用容器を使い捨てが可能な紙製のものにした。そして、折り畳みが可能で、持ち運びや保管に容易なものとした。
【０００７】
以下に、本発明にかかる病床などにて使用される携帯可能な折り畳みタイプの厚紙製小水排泄用容器と厚紙製小水排泄用容器の型紙の具体的な構成を詳細に記載する。最初に、本発明の請求項１に記載した発明の病床などにて使用される携帯可能な折り畳みタイプの厚紙製小水排泄用容器の構成を説明する。この発明は、まず、小水排泄部がある。この小水排泄部は、１枚の防水性厚紙から切り抜かれその糊代からなる接合個所を漏水防止状態に密着して組み立てられ、その厚紙製容器の前部を構成する部分となるものである。そして、これは、その左右両方の前部側面がそれぞれその先端を頂点とする２等辺三角形状にその内側方向に折り曲げられ、その最先端となるその糊代である中央部分が上下水平に接合された形のものである。
【０００８】
つぎに、小水貯留部がある。この小水貯留部は、上記の小水排泄部と一体となって上記の１枚の防水性厚紙から切り抜かれその糊代からなる接合個所を漏水防止状態に密着して組み立てられる。こうして、これはその厚紙製容器の胴部を構成する部分となる四角筒のものである。そして、後部閉塞部がある。この後部閉塞部は、上記の小水貯留部と一体となって上記の１枚の防水性厚紙から切り抜かれその糊代からなる接合個所を漏水防止状態に密着して組み立てられその厚紙製容器の後部を構成する部分となるものである。そして、これはその左右両方の後部側面がそれぞれその後端を頂点とする２等辺三角形状にその内側方向に折り曲げられその最後端となるその糊代である中央部分が上下水平に接合された形のものである。さらに、排泄用開口がある。この排泄用開口は、上記の小水貯留部の上面の先端付近から上記の小水排泄部の前面上部付近に渡って設けられたものである。そして、２等辺三角形状胴部折り曲げ線がある。この２等辺三角形状胴部折り曲げ線は、上記の小水貯留部の左右両方の胴部側面にそれぞれ設けられたものであり、それぞれその両側面の内側方向に折り畳み込むための折り曲げ線である。そしてこれは、その左右両方の胴部側面のそれぞれの胴部後端部の端部辺の個所を底辺としたものである。
【０００９】
さらに、１対の胴部側面用水平状折り曲げ線がある。この１対の胴部側面用水平状折り曲げ線は、上記の小水貯留部の左右両方の胴部側面にそれぞれ設けられたものでありそれぞれその両側面の内側方向に折り畳み込むための折り曲げ線であって、且つその左右両方の胴部側面のそれぞれの三角形状胴部折り曲げ線の頂点から上記の小水排泄部の先端を結ぶものである。そして、１対の垂直状折り曲げ線がある。この１対の垂直状折り曲げ線は、上記の２等辺三角形状胴部折り曲げ線の頂点から垂直に上方端又は下方端にそれぞれに伸びているものであって外側方向に折るためのものである。最後に、平面用水平状折り曲げ線がある。この平面用水平状折り曲げ線は、上記の小水貯留部の上面又は下面にその後端面およびそれに結合している上記の後部閉塞部を折り畳み込むためのものであって上記のそれぞれの三角形状胴部折り曲げ線の頂点から伸びた垂直の折り曲げ線のそれぞれの先端から水平方向に伸び結合したものである。
【００１０】
つぎに、本発明にかかる病床などにて使用される携帯可能な折り畳みタイプの厚紙製小水排泄用容器と厚紙製小水排泄用容器の型紙の請求項２に記載した発明の病床などにて使用される携帯可能な折り畳みタイプの厚紙製小水排泄用容器の型紙の構成を説明する。この発明は、以下の点以外は上記の請求項１の発明の構成と同一である。それゆえに、上記の請求項１の発明の構成の説明の全文をここに援用して、以下の構成の説明をこれに追加する。この発明と上記の請求項１の発明の構成との差異は、型紙である。この型紙は、上記の請求項１に述べる容器を作るためのものである。したがって、上記の請求項の主な構成要素である小水排泄部と小水貯留部と後部閉塞部は、それぞれ小水排泄部と小水貯留部と後部閉塞部の型紙と言うことになる。
【００１１】
そして、本発明にかかる病床などにて使用される携帯可能な折り畳みタイプの厚紙製小水排泄用容器と厚紙製小水排泄用容器の型紙の請求項３に記載した発明の病床などにて使用される携帯可能な折り畳みタイプの厚紙製小水排泄用容器の構成を説明する。この発明は、以下の点以外は上記の請求項１の発明の構成と同一である。それゆえに、上記の請求項１の発明の構成の説明の全文をここに援用して、以下の構成の説明をこれに追加する。この発明と上記の請求項１の発明の構成との差異は、後部閉塞部の１対の閉塞部側面用水平状折り曲げ線の存在である。この後部閉塞部の１対の胴部側面用水平状折り曲げ線は、上記の小水貯留部の１対の胴部側面用水平状折り曲げ線に結ばれているものである。これにより、その請求項１に記載の三角形状胴部折り曲げ線と垂直状折り曲げ線と平面用水平状折り曲げ線は、この請求項２では省略されている。
【００１２】
最後に、本発明にかかる病床などにて使用される携帯可能な折り畳みタイプの厚紙製小水排泄用容器と厚紙製小水排泄用容器の型紙の請求項４に記載した発明の病床などにて使用される携帯可能な折り畳みタイプの厚紙製小水排泄用容器の構成を説明する。この発明は、以下の点以外は上記の請求項３の発明の構成と同一である。それゆえに、上記の請求項３の発明の構成の説明の全文をここに援用して、以下の構成の説明をこれに追加する。この発明と上記の請求項３の発明の構成との差異は、型紙である。この型紙は、上記の請求項１に述べる容器を作るためのものである。したがって、上記の請求項の主な構成要素である小水排泄部と小水貯留部と後部閉塞部は、それぞれ小水排泄部と小水貯留部と後部閉塞部の型紙と言うことになる。
【発明の効果】
【００１３】
本発明にかかる病床などにて使用される携帯可能な折り畳みタイプの厚紙製小水排泄用容器と厚紙製小水排泄用容器の型紙は、以上のごとくになしたゆえに、上記の課題を解決して以下のごとき多大な効果が生じた。すなわち、常に清潔で、ローコストであり、ごみの問題も瓶製やプラスチック製に比して大変によいものとなった。その上に、この折りたたみタイプの厚紙製小水排泄用容器は、嵩張らないので保管や運搬に大変便利だけでなく、折り畳んで携帯することも可能でありその用途が広がった。さらには、なので、１種類の容器ですみ経済的になった。
【発明を実施するための最良の形態】
【００１４】
小水排泄用容器を防水厚紙を切り抜き折り曲げて接合面を密着シールしたことにより、その制作が容易になると言う利点がある。そして、これは紙製で安価である故に、１週間程度の使用で捨てることができ、清潔性が保てる。その上に、その容器全体を折り畳むための折り曲げ線を入れたことにより、通常はその容器は折り畳んでおける故に、運搬や保管の容易さと携帯の容易さという目的を達成させた。
【実施例１】
【００１５】
しかして、本発明にかかる病床などにて使用される携帯可能な折り畳みタイプの厚紙製小水排泄用容器と厚紙製小水排泄用容器の型紙をその具体的な実施例を用いて添付の図面と共に詳細に述べる。小水排泄部１０がある。この小水排泄部１０は、１枚の防水性厚紙から切り抜かれ、その糊代ｔからなる接合個所を漏水防止状態に密着して組み立てられものである。そして、その厚紙製容器の前部を構成する部分となるものである。さらに、これは、その左右両方の前部側面１１、１２がそれぞれその先端１４、１５を頂点とする２等辺三角形状にその内側方向に折り曲げられ、その最先端となるその糊代ｔである中央部分の接合部１０ｔが上下水平に接合され三角屋根を寝かした状態に自在に飛び出す形のものである。すなわち、図１と２に示すように、４角い牛乳パックの上端（注ぎ口）付近の形状である。しかして、この防水性厚紙は、厚紙にポリエチレンやポリエステル等の薄膜の全面貼付やコーティングなどでの防水処理をしたものから成っている。
【００１６】
つぎに、小水貯留部２０がある。この小水貯留部２０は、上記の小水排泄部１０と一体となって上記の１枚の防水性厚紙から切り抜かれその糊代ｔからなる接合個所を漏水防止状態に密着して組み立てられる。こうして、これはその厚紙製容器の胴部を構成する部分となるものであって、左右の側面２１、２２と上下の平面２４，２５から成る四角筒のものである。そして、後部閉塞部４０がある。この後部閉塞部４０は、上記の小水貯留部１０と一体となって上記の１枚の防水性厚紙から切り抜かれその糊代ｔからなる接合個所を漏水防止状態に密着して組み立てられる。
【００１７】
こうして、その厚紙製容器の後部を構成する部分となるものである。そして、これはその左右両方の後部側面４１，４２がそれぞれその後端４３、４４を頂点とする２等辺三角形状にその内側方向に折り曲げられその最後端となるその糊代ｔである中央部分の後部接合部４０ｔが上下水平に接合された形のものである。この部分を分かりやすくするために、図３にこの後部閉塞部４０の部分を閉塞状態ではなく、解放（展開）状態にした図を表した。
【００１８】
さらに、排泄用開口３０がある。この排泄用開口３０は、上記の小水貯留部２０の上面２４の先端付近から上記の小水排泄部１０の前面１３の上部１３ａ付近に渡って設けられたものである。この排泄用開口４０は、この容器が折り畳まれた状態のものを使用状態に広げる場合に、この排泄用開口４０から指や棒などを入れてこの容器の中からその折り曲げ線を開かせるように押すのに非常に役立つものである。そして、２等辺三角形状胴部折り曲げ線２１ｂ、２２ｂがある。この２等辺三角形状胴部折り曲げ線２１ｂ、２２ｂは、上記の小水貯留部２０の左右両方の胴部側面２１、２２にそれぞれ設けられたものであり、それぞれその両側面の内側方向に折り畳み込むための折り曲げ線である。そしてこれは、その左右両方の胴部側面２１、２２のそれぞの胴部後端部２１ｂ’、２２ｂ’の端部辺の個所を底辺としたものである。
【００１９】
そして、１対の胴部側面用水平状折り曲げ線２１ｃ、２２ｃがある。この１対の胴部側面用水平状折り曲げ線２１ｃ、２２ｃは、上記の小水貯留部２０の左右両方の胴部側面２１、２２にそれぞれ設けられたものである。そしてこれは、それぞれその両側面の内側方向に折り畳み込むための折り曲げ線であって、且つその左右両方の胴部側面２１、２２のそれぞれの三角形状胴部折り曲げ線２１ｂ、２２ｂの頂点２１ｄ、２２ｄから上記の小水排泄部１０の先端１４、１５を結ぶものである。そして、１対の垂直状折り曲げ線２１ｄ、２２ｄがある。この１対の垂直状折り曲げ線２１ｄ、２２ｄは、上記の２等辺三角形状胴部折り曲げ線２１ｂ、２２ｂの頂点から垂直に上方端又は下方端にそれぞれに伸びているものであって外側方向に折るためのものである。最後に、平面用水平状折り曲げ線２４ｅがある。この平面用水平状折り曲げ線２４ｅは、上記の小水貯留部２０の上面又は下面にその後端面およびそれに結合している上記の後部閉塞部４０を折り畳み込むためのものであって上記のそれぞれの三角形状胴部折り曲げ線２１、２２ｂの頂点から伸びた垂直の折り曲げ線２１ｄ、２２ｄのそれぞれの先端から水平方向に伸び結合したものである。なお、この厚紙製容器には取っ手５０が、必要により設けられる。斯様にしてこの容器を折り畳むと図６に示す側面図のようになる。
【実施例２】
【００２０】
つぎに、本発明の請求項２に記載した病床などにて使用される携帯可能な折り畳みタイプの厚紙製小水排泄用容器型紙の発明の実施例を説明する。この発明は、以下の点以外は上記の実施例１の発明の構成と同一である。それゆえに、上記の実施例１の発明の構成の説明の全文をここに援用して、以下の構成の説明をこれに追加する。この発明と上記の実施例１の発明の構成との差異は、型紙である。この型紙は、上記の実施例１に述べる容器を作るためのものである。したがって、図４と図５に示す展開図のように、上記の実施例の主な構成要素である小水排泄部１０と小水貯留部２０と後部閉塞部４０は、それぞれ小水排泄部と小水貯留部と後部閉塞部の型紙１０ｐ、２０ｐ、４０ｐと言うことになる。なお、図５は、折り紙形式の折り方を示した谷線（点線で、内側折り）と山線（一点鎖線で、外側折り）を現したものである。
【実施例３】
【００２１】
そして、本発明の請求項３の病床などにて使用される携帯可能な折り畳みタイプの厚紙製小水排泄用容器の実施例の発明を説明する。この発明は、以下の点以外は上記の実施例１の発明の構成と同一である。それゆえに、上記の実施例１の発明の構成の説明の全文をここに援用して、以下の構成の説明をこれに追加する。この発明と上記の実施例１の発明の構成との差異は、図７に示すごとく（一部、図８と９のを参照）後部閉塞部４０の１対の閉塞部側面用水平状折り曲げ線４１ｃ、４２ｃの存在である。この後部閉塞部４０の１対の閉塞部側面用水平状折り曲げ線４１ｃ、４２ｃは、上記の小水貯留部２０の１対の側面用水平状折り曲げ線２１ｃ、２２ｃに結ばれているものである。これにより、その実施例１に記載の三角形状胴部折り曲げ線と垂直状折り曲げ線と平面用水平状折り曲げ線は、この実施例２では不要となる。なお、参考までに、この実施例の正面図は実施例１に示した図１と同様である。しかして、この実施例の容器を折り畳んだ状態が図１０の側面図である。
【実施例４】
【００２２】
最後に、本発明の請求項４の病床などにて使用される携帯可能な折り畳みタイプの厚紙製小水排泄用容器の型紙の実施例を説明する。この発明は、以下の点以外は上記の実施例３の発明の構成と同一である。それゆえに、上記の実施例３の発明の構成の説明の全文をここに援用して、以下の構成の説明をこれに追加する。この発明と上記の実施例３の発明の構成との差異は、型紙である。この型紙は、上記の実施例１に述べる容器を作るためのものである。したがって、上記の実施例の主な構成要素である小水排泄部１０と小水貯留部２０と後部閉塞部４０は、図９に示したように、それぞれ小水排泄部と小水貯留部と後部閉塞部の型紙１０ｐ、２０ｐ、４０ｐと言うことになる。
【産業上の利用可能性】
【００２３】
環境問題を解決し、衛生的でコスト安の医療用具分野の紙容器としての利用がはかれる。さらには、折りたたみが可能なので、携帯用の分野にも利用が可能となった。
【図面の簡単な説明】
【００２４】
【図１】本発明にかかる病床などにて使用される携帯可能な折り畳みタイプの厚紙製小水排泄用容器の一実施例の正面図を示したものである。
【図２】図１のものの側面図を示したものである。
【図３】図２のものの一部展開の側面図である。
【図４】図１のものの展開図を示したものである。
【図５】図４のものの折り紙に使用の折り曲げ方向を示す谷線と山線を示した展開図である。
【図６】図１のものを折り畳んだ状態の側面図を示したものである。
【図７】図１のものの別な実施例の斜視図を示したものである。
【図８】図７のものの側面断面図を示したものである。
【図９】図７のものの展開図を示したものである。
【図１０】図７のものを折り畳んだ状態の側面図を示したものである。
【符号の説明】
【００２５】
１０  小水排泄部
10ｔ  前部接合部
１１  左の前部側面
１２  右の前部側面
１３  前部
13ａ  前部上面
１４  左の先端
１５  右の先端
２０  小水貯留部
２１  左の胴部側面
21b'  左の胴部後端部
２２  右の胴部側面
21ｂ  左の２等辺三角形状胴部折り曲げ線
21ｃ  左の胴部側面用水平状折り曲げ線
21ｄ  左の垂直状折り曲げ線
22ｂ  右左の２等辺三角形状胴部折り曲げ線
22b'  左の胴部後端部
22ｃ  右の胴部側面用水平状折り曲げ線
22ｄ  右の垂直状折り曲げ線
２４  上の平面（上面）
24ｅ  平面用水平状折り曲げ線
２５  下の平面
３０  排泄開口
４０  後部閉塞部
40ｔ  後部接合部
４１  左の後部側面
41ｃ  左の閉塞部側面用水平状折り曲げ線
４２  右の後部側面
42ｃ  右の閉塞部側面用水平状折り曲げ線
４３  左の後端
４４  右の後端
ｔ    糊代
【図１】
2007159797.tif 000003
【図２】
2007159797.tif 000004
【図３】
2007159797.tif 000005
【図４】
2007159797.tif 000006
【図５】
2007159797.tif 000007
【図６】
2007159797.tif 000008
【図７】
2007159797.tif 000009
【図８】
2007159797.tif 000010
【図９】
2007159797.tif 000011
【図１０】
2007159797.tif 000012
【手続補正書】
【提出日】平成17年12月20日(2005.12.20)
【手続補正１】
【補正対象書類名】特許請求の範囲
【補正対象項目名】請求項１
【補正方法】変更
【補正の内容】
【請求項１】
１枚の防水性厚紙から切り抜かれその糊代からなる接合個所を漏水防止状態に密着して組み立てられその厚紙製容器の前部を構成する部分となるものであって且つその左右両方の前部側面がそれぞれその先端を頂点とする２等辺三角形状にその内側方向に折り曲げられその最先端となるその糊代である中央部分が上下水平に接合された小水排泄部、該小水排泄部と一体となって上記の１枚の防水性厚紙から切り抜かれその糊代からなる接合個所を漏水防止状態に密着して組み立てられその厚紙製容器の胴部を構成する部分となる四角筒の小水貯留部、該小水貯留部と一体となって上記の１枚の防水性厚紙から切り抜かれその糊代からなる接合個所を漏水防止状態に密着して組み立てられその厚紙製容器の後部を構成する部分となるものであって且つその左右両方の後部側面がそれぞれその後端を頂点とする２等辺三角形状にその内側方向に折り曲げられその最後端となるその糊代である中央部分が上下水平に接合された後部閉塞部、上記の小水貯留部の上面の先端付近から上記の小水排泄部の前面上部付近に渡って設けられた排泄用開口、上記の小水貯留部の左右両方の胴部側面にそれぞれ設けられたものでありそれぞれその両側面の内側方向に折り畳み込むための折り曲げ線であって且つその左右両方の胴部側面のそれぞれの胴部後端部の端部辺の個所を底辺とした２等辺三角形状胴部折り曲げ線、上記の小水貯留部の左右両方の胴部側面にそれぞれ設けられたものでありそれぞれその両側面の内側方向に折り畳み込むための折り曲げ線であって且つその左右両方の胴部側面のそれぞれの三角形状胴部折り曲げ線の頂点から上記の小水排泄部の先端を結ぶそれぞれの胴部側面用水平状折り曲げ線、上記のそれぞれの２等辺三角形状胴部折り曲げ線の頂点から垂直に上方端又は下方端にそれぞれに伸びているものであって外側方向に折るための垂直状折り曲げ線、上記の小水貯留部の上面又は下面にその後端面およびそれに結合している上記の後部閉塞部を折り畳み込むためのものであって上記のそれぞれの三角形状胴部折り曲げ線の頂点から伸びた垂直の折り曲げ線のそれぞれの先端から水平方向に伸び結合した平面用水平状折り曲げ線、より構成されることを特徴とした病床などにて使用される携帯可能な折り畳みタイプの厚紙製小水排泄用容器。
【手続補正２】
【補正対象書類名】特許請求の範囲
【補正対象項目名】請求項２
【補正方法】変更
【補正の内容】
【請求項２】
１枚の防水性厚紙から切り抜かれその糊代からなる接合個所を漏水防止状態に密着して組み立てられその厚紙製容器の前部を構成する部分となるものであって且つその左右両方の前部側面がそれぞれその先端を頂点とする２等辺三角形状にその内側方向に折り曲げられその最先端となるその糊代である中央部分が上下水平に接合された小水排泄部の型紙、該小水排泄部の型紙と一体となって上記の１枚の防水性厚紙から切り抜かれその糊代からなる接合個所を漏水防止状態に密着して組み立てられその厚紙製容器の胴部を構成する部分となる四角筒の小水貯留部の型紙、該小水貯留部の型紙と一体となって上記の１枚の防水性厚紙から切り抜かれその糊代からなる接合個所を漏水防止状態に密着して組み立てられその厚紙製容器の後部を構成する部分となるものであって且つその左右両方の後部側面がそれぞれその後端を頂点とする２等辺三角形状にその内側方向に折り曲げられその最後端となるその糊代である中央部分が上下水平に接合された後部閉塞部の型紙、上記の小水貯留部の型紙の上面の先端付近から上記の小水排泄部の型紙の前面上部付近に渡って設けられた排泄用開口、上記の小水貯留部の型紙の左右両方の胴部側面にそれぞれ設けられたものでありそれぞれその両側面の内側方向に折り畳み込むための折り曲げ線であって且つその左右両方の胴部側面のそれぞれの胴部後端部の端部辺の個所を底辺とした２等辺三角形状胴部折り曲げ線、上記の小水貯留部の型紙の左右両方の胴部側面にそれぞれ設けられたものでありそれぞれその両側面の内側方向に折り畳み込むための折り曲げ線であって且つその左右両方の胴部側面のそれぞれの三角形状胴部折り曲げ線の頂点から上記の小水排泄部の先端を結ぶそれぞれの胴部側面用水平状折り曲げ線、上記のそれぞれの２等辺三角形状胴部折り曲げ線の頂点から垂直に上方端又は下方端にそれぞれに伸びているものであって外側方向に折るための垂直状折り曲げ線、上記の小水貯留部の上面又は下面にその後端面およびそれに結合している上記の後部閉塞部を折り畳み込むためのものであって上記のそれぞれの三角形状胴部折り曲げ線の頂点から伸びた垂直の折り曲げ線のそれぞれの先端から水平方向に伸び結合した平面用水平状折り曲げ線、より構成されることを特徴とした病床などにて使用される携帯可能な折り畳みタイプの厚紙製小水排泄用容器の型紙。
【手続補正３】
【補正対象書類名】明細書
【補正対象項目名】０００３
【補正方法】変更
【補正の内容】
【０００３】
しかして、本願発明が解決しようとする問題点は、従来のガラス製のものは使用するにしたがって尿酸などの汚れがそのガラスにこびりつき不潔になる。また、その容器は通常１度程度の病気に使用するものであるから、その病気が治ればその再度の使用ということはそれ程あるものではない。それ故に、その容器は、邪魔になって捨ててしまい不経済である。特に、その瓶のガラスを他の瓶容器に使用することはできないので、リサイクルすることは不可能である。そして、病院でのその容器の使用は、通常は他の患者が使用したものを使用するのであるから、これも不快感が生じてしまう。また、介護者も溲瓶を洗う手間があり、これを使い捨てにできるようにすればその手間がなくなる。その他、家庭において夜間小用に行くのがおっくうなときに使用できる。一方、プラスチック製のものは、その廃棄物の処理による環境問題が生じる。そして、パルプモールド製のものはその型代が大変に高くて、これも大きな問題となる。
【手続補正４】
【補正対象書類名】明細書
【補正対象項目名】００１３
【補正方法】変更
【補正の内容】
【００１３】
本発明にかかる病床などにて使用される携帯可能な折り畳みタイプの厚紙製小水排泄用容器と厚紙製小水排泄用容器の型紙は、以上のごとくになしたゆえに、上記の課題を解決して以下のごとき多大な効果が生じた。すなわち、常に清潔で、ローコストであり、ごみの問題も瓶製やプラスチック製に比して大変によいものとなった。その上に、この折りたたみタイプの厚紙製小水排泄用容器は、嵩張らないので保管や運搬に大変便利だけでなく、折り畳んで携帯することも可能でありその用途が広がった。
【手続補正５】
【補正対象書類名】図面
【補正対象項目名】図２
【補正方法】変更
【補正の内容】
【図２】
2007159797.tif 000013
【手続補正６】
【補正対象書類名】図面
【補正対象項目名】図３
【補正方法】変更
【補正の内容】
【図３】
2007159797.tif 000014